【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
第１無線パケットを用いて第１無線通信装置と通信を行うための無線通信装置において、
前記第１無線パケットを送信するための信号を生成する第１信号生成器を備え、
前記第１無線パケットは、
前記第１無線通信装置における第１の自動利得制御（ＡＧＣ：Ａｕｔｏ  Ｇａｉｎ  Ｃｏｎｔｒｏｌ）のためのショートプリアンブルと、
前記無線通信装置と前記第１無線通信装置との間の第１伝送路応答を推定するための第１ロングプリアンブルと、
前記ショートプリアンブル及び前記第１ロングプリアンブルよりも後ろのフィールドであって、前記第１無線パケットに関する情報を含むシグナルフィールドと、
前記シグナルフィールドよりも後ろのプリアンブルであって、前記第１のＡＧＣのあとに行われる、前記第１無線通信装置における第２のＡＧＣのためのＡＧＣプリアンブルと、
前記無線通信装置と前記第１無線通信装置との間の第２伝送路応答を推定するための第２ロングプリアンブルと、
データを搬送するためのデータフィールドとを含み、
前記ＡＧＣプリアンブルは、少なくとも第１アンテナ及び第２アンテナを介して送信されるためのものであり、
前記第１アンテナを介して送信される前記ＡＧＣプリアンブルの信号は、第１サブキャリアを介して送信されるためのものであり、
前記第２アンテナを介して送信される前記ＡＧＣプリアンブルの信号は、第２サブキャリアを介して送信されるためのものであり、
前記第１サブキャリア及び前記第２サブキャリアは同一であり、
前記第１アンテナを介して送信される前記ＡＧＣプリアンブルの信号と、前記第２アンテナを介して送信される前記ＡＧＣプリアンブルの信号とは、時間的に巡回シフトの関係にあることを特徴とする無線通信装置。
【請求項２】
前記データフィールドの信号は、少なくとも前記第１アンテナ及び前記第２アンテナを介して送信されるためのものであることを特徴とする請求項１に記載の無線通信装置。
【請求項３】
前記データフィールドは、少なくとも前記第１アンテナ及び前記第２アンテナを介して送信されるためのものであり、
前記ショートプリアンブル、前記第１ロングプリアンブル、前記シグナルフィールドは、前記第１アンテナ及び前記第２アンテナのうちの少なくとも１つを介して送信されるためのものであることを特徴とする請求項１に記載の無線通信装置。
【請求項４】
前記データフィールドは、少なくとも前記第１アンテナ及び前記第２アンテナを介して送信されるためのものであり、
前記ショートプリアンブル、前記第１ロングプリアンブル、前記シグナルフィールドは、第１通信規格及び第２通信規格の両方に準拠し、
前記ＡＧＣプリアンブル及び前記データフィールドは、前記第２通信規格に準拠することを特徴とする請求項１に記載の無線通信装置。
【請求項５】
前記第２通信規格は前記第１通信規格と後方互換性があることを特徴とする請求項４に記載の無線通信装置。
【請求項６】
前記第２通信規格は、前記第１通信規格と相互運用性があることを特徴とする請求項４に記載の無線通信装置。
【請求項７】
前記第１通信規格はIEEE 802.11nではなく、前記第２通信規格はIEEE 802.11nであることを特徴とする請求項４に記載の無線通信装置。
【請求項８】
前記第１通信規格は、IEEE 802.11n以外の第１規格に含まれ、前記第２通信規格はIEEE 802.11nに含まれ、IEEE 802.11nは前記第１規格と後方互換性があることを特徴とする請求項４に記載の無線通信装置。
【請求項９】
ガードインターバルは前記ショートプリアンブルの信号と前記第１ロングプリアンブルの信号との間に挿入され、
ガードインターバルは前記ＡＧＣプリアンブルの信号と前記第２ロングプリアンブルの信号との間に挿入されることを特徴とする請求項１に記載の無線通信装置。
【請求項１０】
前記シグナルフィールドは、第１シグナルフィールドと第２シグナルフィールドとを含み、前記第２シグナルフィールドは前記第１シグナルフィールドより後ろにあり、前記第１シグナルフィールドはレガシーシグナルフィールド（legacy signal field）であり、前記第２シグナルフィールドは前記第１無線パケットがIEEE 802.11nに準拠しているかどうかを確認するために使用されるためのものであることを特徴とする請求項１に記載の無線通信装置。
【請求項１１】
前記第１シグナルフィールドは、長さフィールド（Length field）を含み、該長さフィールドの値は第１無線パケットの長さに関連することを特徴とする請求項１０に記載の無線通信装置。
【請求項１２】
前記第１シグナルフィールドは第１通信規格に準拠し、
前記第２シグナルフィールドは第２通信規格に準拠し、
前記第１通信規格はIEEE 802.11n以外の第１規格に含まれ、前記第２通信規格は、IEEE 802.11nに含まれ、IEEE 802.11nは前記第１規格と後方互換性があることを特徴とする請求項１０に記載の無線通信装置。
【請求項１３】
前記第２ロングプリアンブルの信号は、少なくとも第１及び第２のアンテナを介して送信されるためのものであり、
前記第１アンテナを介して送信される前記第２ロングプリアンブルの信号と、前記第２アンテナを介して送信される前記第２ロングプリアンブルの信号とは直交化されることを特徴とする請求項１に記載の無線通信装置。
【請求項１４】
前記第２ロングプリアンブルの信号は、少なくとも前記第１アンテナ及び前記第２アンテナを介して送信されるためのものであり、
前記第１アンテナを介して送信される前記第２ロングプリアンブルの信号と、前記第２アンテナを介して送信される前記第２ロングプリアンブルの信号とは、ウォルシュ系列を使用して直交化されることを特徴とする請求項１に記載の無線通信装置。
【請求項１５】
前記第１無線パケットに含まれるプリアンブルの信号を生成するための情報を格納するメモリをさらに具備し、
前記第１信号生成器は、前記メモリでの前記プリアンブルの信号を生成するための情報を使用して前記ＡＧＣプリアンブルの信号を生成することを特徴とする請求項１に記載の無線通信装置。
【請求項１６】
前記第１無線パケットは、第２通信規格に基づいて少なくとも前記第１アンテナ及び前記第２アンテナを介して送信され、
前記第１信号生成器は、前記第２通信規格とは異なる第３通信規格に基づいて少なくとも前記第１アンテナを介して第２無線パケットを送信するための信号を生成し、
前記第１アンテナは、前記第１無線パケット及び前記第２無線パケットの送信によって共有されることを特徴とする請求項１に記載の無線通信装置。
【請求項１７】
請求項１に記載の無線通信装置と、
前記第１アンテナと、
前記第２アンテナと、を具備する無線通信端末であって、
少なくとも前記第１アンテナ及び前記第２アンテナを使用して前記第１信号生成器によって生成される信号を送信することを特徴とする無線通信端末。
【請求項１８】
前記第１無線パケットは、少なくとも前記第１アンテナ及び前記第２アンテナを使用して第２通信規格に基づいて送信され、
前記第１信号生成器は、少なくとも前記第１アンテナを使用して前記第２通信規格とは異なる第３通信規格に基づいて第２無線パケットを送信する信号を生成し、
前記第１アンテナは、前記第１無線パケット及び前記第２無線パケットの送信によって共有されることを特徴とする請求項１７に記載の無線通信端末。
【請求項１９】
第１無線パケットで第１無線通信装置と通信する無線通信装置であって、
前記第１無線パケットを受信する受信部を備え、
前記第１無線パケットは、
前記無線通信装置における第１の自動利得制御（ＡＧＣ：Ａｕｔｏ  Ｇａｉｎ  Ｃｏｎｔｒｏｌ）のためのショートプリアンブルと、
前記無線通信装置と前記第１無線通信装置との間の第１伝送路応答を推定するための第１ロングプリアンブルと、
前記ショートプリアンブル及び前記第１ロングプリアンブルより後ろのフィールドであって、第１無線パケットに関する情報を含むシグナルフィールドと、
前記シグナルフィールドより後ろのプリアンブルであって、前記無線通信装置における前記第１のＡＧＣのあとに行われる、第２のＡＧＣに使用されるＡＧＣプリアンブルと、
前記無線通信装置と前記第１無線通信装置との間の第２伝送路応答を推定するための第２ロングプリアンブルと、
データを搬送するためのデータフィールドと、を含み、
前記無線通信装置は、前記ＡＧＣプリアンブルを用いて前記第１無線パケットの第１利得を制御する利得制御部をさらに具備し、
前記ＡＧＣプリアンブル及び前記データフィールドは、少なくとも第１アンテナ及び第２アンテナを介して送信されたものであり、
前記第１アンテナを介して送信された前記ＡＧＣプリアンブルの信号は、第１サブキャリアを介して送信されたものであり、
前記第２アンテナを介して送信された前記ＡＧＣプリアンブルの信号は、第２サブキャリアを介して送信されたものであり、
前記第１サブキャリア及び前記第２サブキャリアは同一であり、
前記第１アンテナを介して送信された前記ＡＧＣプリアンブルの信号と、前記第２アンテナを介して送信された前記ＡＧＣプリアンブルの信号とは、時間領域での巡回シフトの関係にあることを特徴とする無線通信装置。
【請求項２０】
前記利得制御部によって制御される前記第１利得にしたがって、前記第１無線パケットの信号を増幅する可変利得増幅器をさらに具備する請求項１９に記載の無線通信装置。
【請求項２１】
前記可変利得増幅器から出力される信号をディジタル信号に変換するＡ／Ｄ変換器をさらに具備する請求項２０に記載の無線通信装置。
【請求項２２】
前記Ａ／Ｄ変換器から出力されるディジタル信号に含まれる前記第１ロングプリアンブル及び前記第２ロングプリアンブルを使用して、前記第１伝送路応答及び前記第２伝送路応答を推定する伝送路応答推定部と、
少なくとも前記推定された第２伝送路応答にしたがって、前記Ａ／Ｄ変換器から出力されるディジタル信号を復調する復調部と、をさらに具備することを特徴とする請求項２１に記載の無線通信装置。
【請求項２３】
前記シグナルフィールドは第１シグナルフィールドと第２シグナルフィールドを含み、該第２シグナルフィールドは該第１シグナルフィールドより後ろであり、
前記第２シグナルフィールドは、前記第１無線パケットがIEEE802.11nに準拠しているかどうかを確認するために使用されるためのものであることを特徴とする請求項１９に記載の無線通信装置。
【請求項２４】
前記第１シグナルフィールドは、長さフィールド（Length field）を含み、該長さフィールドの値は第１無線パケットの長さに関連することを特徴とする請求項２３に記載の無線通信装置。
【請求項２５】
前記第１シグナルフィールドは第１通信規格に準拠し、
前記第２シグナルフィールドは第２通信規格に準拠し、
前記第１通信規格はIEEE 802.11n以外の第１規格に含まれ、前記第２通信規格は、IEEE 802.11nに含まれ、IEEE 802.11nは前記第１規格と後方互換性があることを特徴とする請求項２３に記載の無線通信装置。
【請求項２６】
前記第２ロングプリアンブルの信号は、少なくとも前記第１アンテナ及び前記第２アンテナを介して送信されたものであり、
前記第１アンテナを介して送信された前記第２ロングプリアンブルの信号と、前記第２アンテナを介して送信された前記第２ロングプリアンブルの信号とは直交の関係にあることを特徴とする請求項１９に記載の無線通信装置。
【請求項２７】
前記第２ロングプリアンブルの信号は、少なくとも前記第１アンテナ及び前記第２アンテナを介して送信されたものであり、
前記第１アンテナを介して送信された前記第２ロングプリアンブルの信号と、前記第２アンテナを介して送信された前記第２ロングプリアンブルの信号とは、ウォルシュ系列を使用して直交化されることを特徴とする請求項１９に記載の無線通信装置。
【請求項２８】
前記第１無線パケットの利得を格納するメモリをさらに具備し、
前記利得制御部は、前記ショートプリアンブルを用いて、前記第１無線パケットの第２利得を制御し、
前記第２利得は前記メモリに格納され、
前記利得制御部は、前記ＡＧＣプリアンブルと、前記メモリに格納した前記第２利得とを使用して、前記第１利得を制御することを特徴とする請求項１９に記載の無線通信装置。
【請求項２９】
請求項１９に記載の無線通信装置と、
少なくとも１つの受信アンテナと、を具備する無線通信端末であって、
前記無線通信端末は、前記少なくとも１つの受信アンテナを使用して前記第１無線パケットの信号を受信することを特徴とする無線通信端末。
【請求項３０】
第１無線パケットを用いて第１無線通信装置と通信を行うための無線通信装置を使用する無線通信方法において、
前記第１無線パケットを送信するための信号を生成することを備え、
前記第１無線パケットは、
前記第１無線通信装置における第１の自動利得制御（ＡＧＣ：Ａｕｔｏ  Ｇａｉｎ  Ｃｏｎｔｒｏｌ）のためのショートプリアンブルと、
前記無線通信装置と前記第１無線通信装置との間の第１伝送路応答を推定するための第１ロングプリアンブルと、
前記ショートプリアンブル及び前記第１ロングプリアンブルよりも後ろのフィールドであって、前記第１無線パケットに関する情報を含むシグナルフィールドと、
前記シグナルフィールドより後ろのプリアンブルであって、前記第１のＡＧＣのあとに行われる、前記第１無線通信装置における第２のＡＧＣに使用されるＡＧＣプリアンブルと、
前記無線通信装置と前記第１無線通信装置との間の第２伝送路応答を推定するための第２ロングプリアンブルと、
データを搬送するためのデータフィールドとを含み、
前記ＡＧＣプリアンブルは、少なくとも第１アンテナ及び第２アンテナを介して送信されるためのものであり、
前記第１アンテナを介して送信される前記ＡＧＣプリアンブルの信号は、第１サブキャリアを介して送信されるためのものであり、
前記第２アンテナを介して送信される前記ＡＧＣプリアンブルの信号は、第２サブキャリアを介して送信されるためのものであり、
前記第１サブキャリア及び前記第２サブキャリアは同一であり、
前記第１アンテナを介して送信される前記ＡＧＣプリアンブルの信号と、前記第２アンテナを介して送信される前記ＡＧＣプリアンブルの信号とは、時間的に巡回シフトの関係にあることを特徴とする無線通信方法。
【請求項３１】
第１無線パケットで第１無線通信装置と通信する無線通信装置を使用するための無線通信方法であって、
前記第１無線パケットを受信するものであって、
前記第１無線パケットは、
前記無線通信装置における第１の自動利得制御（ＡＧＣ：Ａｕｔｏ  Ｇａｉｎ  Ｃｏｎｔｒｏｌ）のためのショートプリアンブルと、
前記無線通信装置と前記第１無線通信装置との間の第１伝送路応答を推定するための第１ロングプリアンブルと、
前記ショートプリアンブル及び前記第１ロングプリアンブルよりも後ろのフィールドであって、前記第１無線パケットに関する情報を含むシグナルフィールドと、
前記シグナルフィールドより後ろのＡＧＣプリアンブルであって、前記無線通信装置における前記第１のＡＧＣのあとに行われる、第２のＡＧＣに使用されるＡＧＣプリアンブルと、
前記無線通信装置と前記第１無線通信装置との間の第２伝送路応答を推定するための第２ロングプリアンブルと、
データを搬送するためのデータフィールドと、を含み、
前記無線通信装置は、前記ＡＧＣプリアンブルを用いて前記第１無線パケットの第１利得を制御する利得制御部をさらに具備し、
前記ＡＧＣプリアンブル及び前記データフィールドは、少なくとも第１アンテナ及び第２アンテナを介して送信されたものであり、
前記第１アンテナを介して送信された前記ＡＧＣプリアンブルの信号は、第１サブキャリアを介して送信されたものであり、
前記第２アンテナを介して送信された前記ＡＧＣプリアンブルの信号は、第２サブキャリアを介して送信されたものであり、
前記第１サブキャリア及び前記第２サブキャリアは同一であり、
前記第１アンテナを介して送信された前記ＡＧＣプリアンブルの信号と、前記第２アンテナを介して送信された前記ＡＧＣプリアンブルの信号とは、時間領域での巡回シフトの関係にあることを特徴とする無線通信方法。